(57)【要約】【課題】施工が容易であるとともに、高い構築精度が得られるコンクリート内壁の構築方法を提供する。【解決手段】構築対象箇所に複数の型枠パネル部材１２を配置し、複数の型枠パネル部材１２を支持手段１５によって支持することにより打ち込み型枠１１を設置する工程と、構築対象箇所に複数の型枠パネル部材２２を配置し、複数の型枠パネル部材２２を支持手段１５によって支持することにより着脱型枠２１を設置する工程と、打ち込み型枠１１と着脱型枠２１との間に間隔保持手段３１を配置することにより両型枠１１、２１間を所定の間隔に保持する工程と、両型枠１１、２１間にコンクリート３６を打設する工程と、コンクリート３６の硬化後に打ち込み型枠１１及び着脱型枠２１の支持手段１５を解体し、打ち込み型枠１１を残置させ着脱型枠２１を取り外す工程とを備える。【選択図】図６
2008223277.tif 000002
【特許請求の範囲】
【請求項１】
コンクリート内壁の構築方法であって、
コンクリート内壁の構築対象箇所の一方の面に沿って複数の型枠パネル部材を配置し、該複数の型枠パネル部材を支持手段によって支持することにより、前記構築対象箇所に複数の型枠パネル部材からなる打ち込み型枠を設置する打ち込み型枠設置工程と、
前記コンクリート内壁の構築対象箇所の他方の面に沿って複数の型枠パネル部材を配置し、該複数の型枠パネル部材を支持手段によって支持することにより、前記構築対象箇所に複数の型枠パネル部材からなる着脱型枠を設置する着脱型枠設置工程と、
前記打ち込み型枠と前記着脱型枠との間に間隔保持手段を配置することにより、前記打ち込み型枠と前記着脱型枠との間を所定の間隔に保持する間隔保持工程と、
前記打ち込み型枠と前記着脱型枠との間にコンクリートを打設するコンクリート打設工程と、
コンクリートの硬化後に、前記打ち込み型枠及び前記着脱型枠の支持手段を解体し、前記打ち込み型枠を残置させ、前記着脱型枠を取り外す型枠解体工程とを備えてなることを特徴とするコンクリート内壁の構築方法。
【請求項２】
前記打ち込み型枠の各型枠パネル部材は、板状のせき板からなり、前記支持手段によって複数の型枠パネル部材のせき板が一体に連結されていることを特徴とする請求項１に記載のコンクリート内壁の構築方法。
【請求項３】
前記着脱型枠の各型枠パネル部材は、板状のせき板と、該せき板の両縁部に一体に設けられる連結部とからなり、隣接する型枠パネル部材の連結部間が連結手段によって一体に連結されるとともに、複数の型枠パネル部材のせき板が前記支持手段によって一体に連結されていることを特徴とする請求項１に記載のコンクリート内壁の構築方法。
【請求項４】
前記間隔保持手段は、前記打ち込み型枠と前記着脱型枠との内面間に配置されるセパレータ部材と、該セパレータ部材の両端部に一体に設けられるとともに、前記打ち込み型枠の内面及び前記着脱型枠の内面に当接するストッパー部材と、前記打ち込み型枠及び前記着脱型枠の外面側から前記打ち込み型枠及び前記着脱型枠を貫通して前記セパレータ部材の両端部に螺着され、前記セパレータ部材を前記打ち込み型枠及び前記着脱型枠に一体に連結する締結部材とを備えてなることを特徴とする請求項１から３の何れかに記載のコンクリート内壁の構築方法。
【請求項５】
請求項１から４のコンクリート内壁の構築方法によって構築されることを特徴とするコンクリート内壁。
【発明の詳細な説明】
【技術分野】
【０００１】
本発明は、コンクリート内壁の構築方法及びコンクリート内壁に関し、特に、建物等のコンクリート構造物の内壁に有効なコンクリート内壁の構築方法及びコンクリート内壁に関する。
【背景技術】
【０００２】
建物等のコンクリート構造物の内壁を構築する構築方法の一例として、内壁の構築対象箇所の一方の面及び他方の面に構築対象箇所に沿ってそれぞれ型枠を配置し、両型枠間にセパレータを配置して両型枠間を所定の間隔に保持し、両型枠間にコンクリートを打設し、コンクリートの硬化後に両型枠を解体して取り外すことにより、コンクリート内壁を構築する方法が知られている。
【０００３】
このような構築方法にあっては、コンクリート内壁の構築後に、コンクリート内壁の一方の面の型枠及び他方の面の型枠の両方を解体して取り外さなければならないため、型枠の解体作業に非常に手間がかかる。また、セパレータの端部がコンクリート内壁の表面から突出した状態で構築されるため、構築後にその突出している部分を切断する必要があり、その作業に手間がかかる。
【０００４】
さらに、型枠にベニヤ板を使用し、複数枚のベニヤ板を構築対象箇所に沿って横並びに配置し、複数枚のベニヤ板の外面側に木製のバタを配置し、バタと各ベニヤ板との間に釘を打ち込んで固着させているため、固着状態によっては隣接するベニヤ板間に隙間や段差が形成されることがあり、この隙間や段差によって構築後のコンクリート内壁の両面に凹部、凸部、段差等が形成され、構築後にコンクリート内壁の両面を補修する作業が必要になる。
【０００５】
一方、上記のような問題に対処するため、コンクリート内壁の構築対象箇所の一方の面及び他方の面の両型枠に打ち込み型枠を使用し、構築後に打ち込み型枠を内装ボードとして残置させる方法も考えられる。このような方法にあっては、コンクリート内壁の構築後に両型枠を解体して取り外す必要がないので、型枠の解体作業に要する手間を削減することができる。しかし、コンクリート内壁の両面が両型枠で被覆された状態となるため、構築後に建築基準法に定める「コンクリート打設面の検査と補修」ができなくなる問題がある。
【特許文献１】特開平７−２８８６７３号公報
【発明の開示】
【発明が解決しようとする課題】
【０００６】
本発明は、上記のような従来の問題に鑑みなされたものであって、コンクリート内壁の構築後の型枠の解体作業に要する手間を削減することができ、構築後にセパレータの端部を切断する作業が不要であり、さらに、構築後にコンクリート内壁の両面を補修する必要がなく、さらに、構築後に建築基準法に定める「コンクリート打設面の検査と補修」が可能なコンクリート内壁の構築方法を提供することを目的とする。
【課題を解決するための手段】
【０００７】
上記のような課題を解決するために、本発明は、以下のような手段を採用している。
すなわち、請求項１に係る発明は、コンクリート内壁の構築方法であって、コンクリート内壁の構築対象箇所の一方の面に沿って複数の型枠パネル部材を配置し、該複数の型枠パネル部材を支持手段によって支持することにより、前記構築対象箇所に複数の型枠パネル部材からなる打ち込み型枠を設置する打ち込み型枠設置工程と、前記コンクリート内壁の構築対象箇所の他方の面に沿って複数の型枠パネル部材を配置し、該複数の型枠パネル部材を支持手段によって支持することにより、前記構築対象箇所に複数の型枠パネル部材からなる着脱型枠を設置する着脱型枠設置工程と、前記打ち込み型枠と前記着脱型枠との間に間隔保持手段を配置することにより、前記打ち込み型枠と前記着脱型枠との間を所定の間隔に保持する間隔保持工程と、前記打ち込み型枠と前記着脱型枠との間にコンクリートを打設するコンクリート打設工程と、コンクリートの硬化後に、前記打ち込み型枠及び前記着脱型枠の支持手段を解体し、前記打ち込み型枠を残置させ、前記着脱型枠を取り外す型枠解体工程とを備えてなることを特徴とする。
【０００８】
本発明によるコンクリート内壁の構築方法によれば、打ち込み型枠設置工程によりコンクリート内壁の構築対象箇所の一方の面又は他方の面に打ち込み型枠を設置し、着脱型枠設置工程によりコンクリート内壁の構築対象箇所の他方の面又は一方の面に着脱型枠を設置し、間隔保持工程により打ち込み型枠と着脱型枠との間を所定の間隔に保持し、コンクリート打設工程により打ち込み型枠と着脱型枠との間にコンクリートを打設し、コンクリートの硬化後に型枠解体工程により支持手段を解体し、打ち込み型枠を残置させ、着脱型枠を取り外すことにより、構築対象箇所にコンクリート内壁を構築することができる。
この場合、構築後に着脱型枠のみを取り外せばよいので、型枠の解体作業に要する手間を削減することができる。また、コンクリート内壁の片面のみに打ち込み型枠を残置させることになるので、構築後のコンクリート内壁に対して「コンクリート打設面の検査と補修」を行うことが可能になる。
【０００９】
請求項２に係る発明は、請求項１に記載のコンクリート内壁の構築方法であって、前記打ち込み型枠の各型枠パネル部材は、板状のせき板からなり、前記支持手段によって複数の型枠パネル部材のせき板が一体に連結されていることを特徴とする。
【００１０】
本発明によるコンクリート内壁の構築方法によれば、複数の型枠パネル部材のせき板を支持手段によって一体に連結することで、複数の型枠パネル部材が一体化されて打ち込み型枠が構成され、この複数の型枠パネル部材のせき板によってコンクリート内壁の一方の面又は他方の面が構築される。また、打ち込み型枠の各型枠パネル部材のせき板がコンクリート内壁の一方の面又は他方の面に残置され、内装ボードとして機能することになる。
【００１１】
請求項３に係る発明は、請求項１に記載のコンクリート内壁の構築方法であって、前記着脱型枠の各型枠パネル部材は、板状のせき板と、該せき板の両縁部に一体に設けられる連結部とからなり、隣接する型枠パネル部材の連結部間が連結手段によって一体に連結されるとともに、複数の型枠パネル部材のせき板が前記支持手段によって一体に連結されていることを特徴とする。
【００１２】
本発明によるコンクリート内壁の構築方法によれば、複数の型枠パネル部材の隣接する型枠パネル部材の連結部間が連結手段によって一体に連結されるとともに、複数の型枠パネル部材のせき板が支持手段によって一体に連結されることで、複数の型枠パネル部材が一体化されて着脱型枠が構成され、この着脱型枠のせき板によってコンクリート内壁の他方の面又は一方の面が構築されることになる。この場合、隣接する型枠パネル部材の連結部間が連結手段によって一体に連結されているので、隣接する型枠パネル部材間に隙間や段差が形成されるようなことはなく、構築後のコンクリート内壁の表面に凹部、凸部、段差等が形成されるようなことはない。
【００１３】
請求項４に係る発明は、請求項１から３の何れかに記載のコンクリート内壁の構築方法であって、前記間隔保持手段は、前記打ち込み型枠と前記着脱型枠との内面間に配置されるセパレータ部材と、該セパレータ部材の両端部に一体に設けられるとともに、前記打ち込み型枠の内面及び前記着脱型枠の内面に当接するストッパー部材と、前記打ち込み型枠及び前記着脱型枠の外面側から前記打ち込み型枠及び前記着脱型枠を貫通して前記セパレータ部材の両端部に螺着され、前記セパレータ部材を前記打ち込み型枠及び前記着脱型枠に一体に連結する締結部材とを備えてなることを特徴とする。
【００１４】
本発明によるコンクリート内壁の構築方法によれば、打ち込み型枠と着脱型枠との内面間にセパレータ部材を配置し、セパレータ部材の両端部のストッパー部材を打ち込み型枠及び着脱型枠の内面に当接させ、打ち込み型枠及び着脱型枠の外面側から打ち込み型枠及び着脱型枠を貫通してセパレータ部材の両端部に締結部材を螺着させることで、セパレータ部材が打ち込み型枠及び着脱型枠に一体に連結され、打ち込み型枠と着脱型枠との間が所定の間隔に保持される。また、セパレータ部材は打ち込み型枠と着脱型枠との内面間に位置しているので、構築後にセパレータ部材の両端部がコンクリート内壁の表面から突出するようなことはなく、セパレータ部材の両端部を切断する作業が不要となる。
【００１５】
請求項５に係る発明は、請求項１から４のコンクリート内壁の構築方法によって構築されることを特徴とする。
【発明の効果】
【００１６】
以上、説明したように、本発明のコンクリート内壁の構築方法によれば、構築後に、コンクリート内壁の一方の面又は他方の面の着脱型枠のみを解体して取り外せばよいので、構築後の型枠の解体作業に要する手間を削減することができる。また、着脱型枠の隣接する型枠パネル部材の連結部間が連結手段によって一体に連結されることになるので、隣接する型枠パネル部材間に隙間や段差が形成されるようなことはなく、構築後のコンクリート内壁の両面に凹部、凸部、段差等が形成されるようなことはなく、構築後にコンクリート内壁の両面の補修作業が不要となる。さらに、間隔保持手段のセパレータ部材は、打ち込み型枠と着脱型枠との内面間に両端部が位置しているので、構築後のコンクリート内壁の表面からセパレータ部材の両端部が突出するようなことはなく、セパレータ部材の両端部の切断作業が不要となる。
【発明を実施するための最良の形態】
【００１７】
以下、図面を参照しながら本発明の実施の形態について説明する。
図１〜図７には、本発明によるコンクリート内壁の構築方法及びコンクリート内壁の一実施の形態が示されていて、図１〜図３は型枠の設置手順を示す説明図、図４は締結部材を示す説明図、図５は間隔保持手段を示す説明図、図６はコンクリート打設後の状態を示す説明図、図７は構築完了後の状態を示す説明図である。
【００１８】
すなわち、本実施の形態によるコンクリート内壁の構築方法は、建物等のコンクリート構造物の内部に配置されるコンクリート内壁１に有効なものであって、コンクリート内壁１の構築対象箇所の一方の面又は他方の面に打ち込み型枠１１を設置する打ち込み型枠設置工程と、構築対象箇所の他方の面又は一方の面に着脱型枠２１を設置する着脱型枠設置工程と、打ち込み型枠１１と着脱型枠２１との間に間隔保持手段３１を配置し、両型枠１１、２１間を所定の間隔に保持する間隔保持工程と、打ち込み型枠１１と着脱型枠２１との間にコンクリート３６を打設するコンクリート打設工程と、コンクリート３６の硬化後に型枠２１を解体して取り外す型枠解体工程とを備えている。
【００１９】
打ち込み型枠設置工程は、図１に示すように、コンクリート内壁１の構築対象箇所の一方の面又は他方の面に、構築対象箇所に沿って縦横に複数の型枠パネル部材１２を配置するとともに、これらの複数の型枠パネル部材１２の外面側に支持手段１５を配置して、支持手段１５によって複数の型枠パネル部材１２を支持することにより、構築対象箇所の一方の面又は他方の面に複数の型枠パネル部材１２からなる打ち込み型枠１１を設置する工程であって、この打ち込み型枠１１によりコンクリート内壁１の一方の面１ａ又は他方の面１ｂ（図７参照）が成形される。打ち込み型枠１１は、コンクリート内壁１の構築後にコンクリート内壁１の一方の面１ａ又は他方の面１ｂ上に残置され、内装ボードとして使用される。
【００２０】
打ち込み型枠１１の各型枠パネル部材１２は、矩形板状のせき板１３から構成されるものであって、構築対象箇所に複数の型枠パネル部材１２を縦横に配置し、この状態で隣接するせき板１３間に隙間が形成されないように、かつ隣接するせき板１３の板面が面一となるように、複数の型枠パネル部材１２を支持手段１５によって支持する。各型枠パネル部材１２のせき板１３には、せき板１３の内外面間を貫通する貫通孔１３ａが複数箇所に設けられ、この貫通孔１３ａを利用して各型枠パネル部材１２のせき板１３と後述する支持手段１５のバタ１６とが一体に連結される。
【００２１】
本実施の形態においては、せき板１３に厚みが約１１ｍｍの木質系ボード（塩化マグネシウムボード）を使用している。但し、これに限定することなく、他の種類の木質系ボード、セメント系ボード（ケイ酸カルシウム板等）等の内装ボードを使用してもよい。要は、コンクリート打設工程において、打ち込み型枠１１と着脱型枠２１との間にコンクリー３６トを打設した際に破損等しない強度を有するものであればよい。
【００２２】
支持手段１５は、複数の型枠パネル部材１２のせき板１３の外面に縦横に配置されるＣ形鋼等の鋼材からなる複数のバタ１６と、各バタ１６と複数の型枠パネル部材１２のせき板１３とを一体に連結する締結部材１７とから構成される。
【００２３】
締結部材１７は、図１及び図４に示すように、棒状をなすものであって、一端部に円板状のフランジ部１７ａが一体に設けられ、フランジ部１７ａの図中右側の部分に雄ねじ部１７ｂが設けられ、フランジ部１７ａの図中左側の部分に雌ねじ部１７ｃが設けられている。
【００２４】
締結部材１７によりバタ１６と型枠パネル部材１２のせき板１３とを連結するには、締結部材１７の雌ねじ部１７ｃをせき板１３の各貫通孔１３ａ内を挿通させ、フランジ部１７ａをせき板１３の外面に当接させ、せき板１３の内面側に突出させた雌ねじ部１７ｃに後述する間隔保持手段３１のセパレータ部材３２の雄ねじ部３２ａを螺合させて締め付ける。そして、この状態で雄ねじ部１７ｂをせき板１３の外面側に配置した各バタ１６の貫通孔１６ａ内を挿通させて各バタ１６から外方に突出させ、その突出させた雄ねじ部１７ｂの部分にワッシャ１８を介してナット１９を螺合させて締め付ける。
【００２５】
そして、このような作業を各型枠パネル部材１２のせき板１３に対して行うことにより、複数の型枠パネル部材１２のせき板１３と複数のバタ１６とを一体に連結することができ、コンクリート内壁１の構築対象箇所の一方の面又は他方の面に複数の型枠パネル部材１２からなる板状の打ち込み型枠１１を設置することができる。
【００２６】
着脱型枠設置工程は、図２に示すように、コンクリート内壁１の構築対象箇所の他方の面又は一方の面に、構築対象箇所に沿って縦横に複数の型枠パネル部材２２を配置し、複数の型枠パネル部材２２の外側に支持手段１５を配置し、支持手段１５によって複数の型枠パネル部材２２を支持することにより、構築対象箇所の他方の面又は一方の面に複数の型枠パネル部材２２からなる着脱型枠２１を設置する工程であって、この着脱型枠２１によりコンクリート内壁１の他方の面１ｂ又は一方の面１ａ（図７参照）が成形される。着脱型枠２１は、コンクリート内壁１の成形完了後に解体して取り外す。
【００２７】
着脱型枠２１の各型枠パネル部材２２は、矩形板状のせき板２３と、せき板２３の外面側の両縁部に一体に設けられる連結部２４とから構成されるものであって、複数の型枠パネル部材２２を縦横に配置し、この状態で隣接するせき板２３間に隙間が形成されないように、かつ隣接するせき板２３の板面が面一となるように、複数の型枠パネル部材２２を支持手段１５によって支持する。各型枠パネル部材２２のせき板２３には、せき板２３の内外面間を貫通する貫通孔２３ａが複数箇所に設けられ、各貫通孔２３ａを利用して各型枠パネル部材２２のせき板２３と支持手段１５のバタ１６とが一体に連結される。
【００２８】
各型枠パネル部材２２の各連結部２４は、せき板２３の外面から垂直に立ち上がる側板部２４ｂと、側板部２４ｂの先端から直角に屈曲されるせき板２３と略平行をなす上板部２４ａとからなるものであって、側板部２４ｂには連結手段（図示せず）を取り付けるための貫通孔（図示せず）が複数箇所に設けられる。隣接する型枠パネル部材２２の連結部２４の側板部２４ｂ同士を密着させ、両側板部２４ｂの貫通孔間に連結手段（図示せず）を取り付けることで、隣接する型枠パネル部材２２が一体に連結される。
【００２９】
連結手段としては、例えば、特開平８−１３７９２号公報に開示されている連結クリップ、連結ボルト等を利用することができる。但し、これに限定することなく、隣接する型枠パネル部材２２の連結部２４の側板部２４ｂ間を一体に連結可能な機能を有するものであればよい。
【００３０】
各型枠パネル部材２２のせき板２３及び連結部２４は、繊維強化プラスチックを材料として一体に成形される。繊維強化プラスチックとしては、熱硬化性プラスチックを繊維で強化したもの、熱可塑性プラスチックを繊維で強化したものを使用できる。強化繊維には、ガラス繊維、炭素繊維、アラミド繊維、ボロン繊維等を使用できる。本実施の形態においては、せき板２３及び連結部２４の厚みを約５ｍｍに設定している。型枠パネル部材２２としては、例えば、特開平８−１３７９２号公報に開示されているコンクリート成形用型枠材を利用することができる。
【００３１】
支持手段１５は、打ち込み型枠１１の型枠パネル部材１２を支持する支持手段１５と同様の構成を有するものであって、着脱型枠２１の複数の型枠パネル部材２２の連結部２４の上板部２４ａの上部に縦横に配置されるＣ形鋼等の鋼材からなる複数のバタ１６と、各バタ１６と複数の型枠パネル部材２２のせき板２３とを連結する締結部材１７とから構成されている。
【００３２】
締結部材１７によりバタ１６と型枠パネル部材２２のせき板２３とを一体に連結するには、締結部材１７の雌ねじ部１７ｃをせき板２３の各貫通孔２３ａ内を挿通させ、フランジ部１７ａをせき板２３の外面に当接させ、せき板２３の内面側に突出させた雌ねじ部１７ｃに後述する間隔保持手段３１のセパレータ部材３２の雄ねじ部３２ａを螺合させて締め付ける。そして、この状態で雄ねじ部１７ｂを連結部２４の上板部２４ａの上部に配置した各バタ１６の貫通孔１６ａ内を挿通させて各バタ１６から外方に突出させ、その突出させた雄ねじ部１７ｂの部分にワッシャ１８を介してナット１９を螺合させて締め付ける。
【００３３】
そして、このような作業を各型枠パネル部材２２のせき板２３に対して行うことにより、複数の型枠パネル部材２２のせき板２３と複数のバタ１６とが一体に連結され、コンクリート内壁１の構築対象箇所の他方の面又は一方の面に複数の型枠パネル部材２２からなる着脱型枠２１が設置される。
【００３４】
間隔保持工程は、図３及び図５に示すように、間隔保持手段３１によって打ち込み型枠１１と着脱型枠２１との間を所定の間隔に保持し、両型枠１１、２１間に所定容積の成形空所３５を形成する工程であって、打ち込み型枠１１と着脱型枠２１との間を所定の間隔に保持する間隔保持手段３１を使用する。
【００３５】
間隔保持手段３１は、打ち込み型枠１１の型枠パネル部材１２のせき板１３と着脱型枠２１の型枠パネル部材２２のせき板２３との間に配置されるとともに、両端部に雄ねじ部３２ａが一体に設けられるセパレータ部材３２と、セパレータ部材３２の両端部に一体に設けられる円錐台形状のストッパー部材３３とから構成されている。
【００３６】
間隔保持手段３１のセパレータ部材３２を打ち込み型枠１１と着脱型枠２１との間に配置し、両ストッパー部材３３、３３を打ち込み型枠１１の型枠パネル部材１２のせき板１３の内面及び着脱型枠２１の型枠パネル部材２２のせき板２３の内面にそれぞれ当接させ、この状態で打ち込み型枠１１のせき板１３及び着脱型枠２１のせき板２３の外面側から貫通孔１３ａ、２３ａを介してセパレータ部材３２の両端部の雄ねじ部３２ａに締結部材１７の雌ねじ部１７ｂを螺合させて締め付けることで、打ち込み型枠１１と着脱型枠２１との間が所定の間隔に保持され、両型枠１１、２１間に所定容積の成形空所３５が形成される。
【００３７】
打ち込み型枠工程、着脱型枠工程、及び間隔保持工程は、それらの順に行ってもよいし、打ち込み型枠工程及び着脱型枠工程の完了後に間隔保持工程を行ってもよいし、打ち込み型枠設置工程及び着脱型枠設置工程と間隔保持工程とを同時に行ってもよい。
【００３８】
コンクリート打設工程は、図６に示すように、打ち込み型枠１１と着脱型枠２１との間の成形空所３５内にコンクリート３６を打設する工程であって、このコンクリート打設工程を経ることにより、打ち込み型枠１１と着脱型枠２１との間の成形空所３５に合致した形状のコンクリート内壁１が構築される。
【００３９】
型枠解体工程は、図７に示すように、コンクリート３６の硬化後に打ち込み型枠１１の支持手段１５及び着脱型枠２１の支持手段１５及び連結手段を解体して取り外し、打ち込み型枠１１の各型枠パネル部材１２を残置させ、着脱型枠２１の各型枠パネル部材２２を取り外す工程であって、この型枠解体工程を経ることによりコンクリート内壁１の一方の面１ａ又は他方の面１ｂ（本実施の形態においては他方の面１ｂ）が露出される。
【００４０】
このようにして、コンクリート内壁１の一方の面１ａ又は他方の面１ｂに打ち込み型枠１１の型枠パネル部材１２が残置し、他方の面１ｂ又は一方の面１ａが露出した状態のコンクリート内壁１が構築されることになり、打ち込み型枠１１の各型枠パネル部材１２を内装ボードとして機能させることができる。
なお、間隔保持手段３１のセパレータ部材３２の棒状の部分及びストッパー部材３３はコンクリート３６内に埋設されているが、ストッパー部材３３の両端部の雄ねじ部３２ａはストッパー部材３３内で露出した状態となっているので、その部分にキャップ４０を被せるか、あるいはストッパー部材３３内にモルタルを充填すればよい。
【００４１】
上記のように構成した本実施の形態によるコンクリート内壁の構築方法にあっては、コンクリート内壁１の構築後に打ち込み型枠１１を残置させ、着脱型枠２１のみを解体して取り外すように構成したので、構築後の型枠の解体作業に要する手間を削減することができる。
【００４２】
また、打ち込み型枠１１の各型枠パネル部材１２には、厚さが１１ｍｍの十分な強度を有するせき板１３を使用しているので、コンクリート３６の打設によって隣接する型枠パネル部材１２間に隙間や段差が形成されるようなことはなく、また着脱型枠２１の隣接する型枠パネル部材２２は連結部２４間が連結手段によって一体に連結されているので、それらの間にも隙間や段差が形成されるようなことはない。従って、構築後のコンクリート内壁１の内面１ａ及び外面１ｂに凹部、凸部、段差等が形成されるようなことはないので、構築後のコンクリート内壁１の表面の補修作業が不要となる。
【００４３】
さらに、間隔保持手段３１のセパレータ部材３２は、両端部が打ち込み型枠１１と着脱型枠２１との内面間に位置しているので、構築後にセパレータ部材３２の両端部がコンクリート内壁１の表面から突出するようなことはなく、構築後にセパレータ部材３２の両端部を切断する作業が不要となる。
【００４４】
さらに、コンクリート内壁１の一方の面１ａ又は他方の面１ｂの一方に打ち込み型枠１１の型枠パネル部材１２が残置され、一方の面１ａ又は他方の面１ｂの他方は露出した状態となっているので、構築後に建築基準法に定める「コンクリート打設面の検査と補修」を行うことが可能となる。
【００４５】
なお、前記の説明においては、本実施の形態によるコンクリート内壁の構築方法を建物等のコンクリート構造物の内壁に適用した場合について説明したが、他のコンクリート構造物の内壁に適用してもよいのは勿論のことである。
【図面の簡単な説明】
【００４６】
【図１】本発明によるコンクリート内壁の構築方法の手順を示した説明図であって、打ち込み型枠の設置工程を示した説明図である。
【図２】着脱型枠の設置工程を示した説明図である。
【図３】間隔保持工程を示した説明図である。
【図４】支持手段の締結部材の全体を示した説明図である。
【図５】間隔保持手段の全体を示した説明図である。
【図６】コンクリート打設工程を示した説明図である。
【図７】型枠の解体工程を示した説明図である。
【符号の説明】
【００４７】
１  コンクリート内壁、１ａ  一方の面、１ｂ  他方の面、
１１  打ち込み型枠、１２  型枠パネル部材、
１３  せき板、１３ａ  貫通孔、１５  支持手段、
１６  バタ、１６ａ  貫通孔、
１７  締結部材、１７ａ  フランジ部、１７ｂ  雄ねじ部、１７ｃ  雌ねじ部、
１８  ワッシャ、１９  ナット、２１  着脱型枠、２２  型枠パネル部材、
２３  せき板、２３ａ  貫通孔、２４  連結部、
２４ａ  上板部、２４ｂ  側板部、
３１  間隔保持手段、３２  セパレータ部材、３２ａ  雄ねじ部、
３３  ストッパー部材、３５  成形空所、３６  コンクリート
【図１】
2008223277.tif 000003
【図２】
2008223277.tif 000004
【図３】
2008223277.tif 000005
【図４】
2008223277.tif 000006
【図５】
2008223277.tif 000007
【図６】
2008223277.tif 000008
【図７】
2008223277.tif 000009